(57)【要約】【課題】  乾電池廃棄等による環境問題の発生を防止し、省エネが図れ、芳香の拡散により環境が和らぎ癒し効果をあげることができる芳香拡散装置の提供。【解決手段】  本発明の芳香拡散装置１は、拡散装置本体１０と、この拡散装置本体に対して、略中央部を支点とする振り子運動可能に設けられる振り子部材１１と、この振り子部材の下端側に設けられ、所定の電気エネルギーが供給されたとき前記振り子部材に振り子運動をさせる揺動駆動手段２０と、前記振り子部材の上端側に設けられ、芳香源を収納する芳香ケース３０と、前記揺動駆動手段に、前記電気エネルギーを供給する電源部２７とからなっている。揺動駆動手段は、振り子部材側に設けられる永久磁石１５と、拡散装置本体側に設けられる電磁コイル２３とからなり、電源部は、太陽電池を利用することが好ましい。【選択図】      図１
2006068505.tif 000002
【特許請求の範囲】
【請求項１】
拡散装置本体（１０）と、
この拡散装置本体に対して、略中央部を支点とする振り子運動可能に設けられる振り子部材（１１）と、
この振り子部材の下端側に設けられ、所定の電気エネルギーが供給されたとき前記振り子部材に振り子運動をさせる揺動駆動手段（２０）と、
前記振り子部材の上端側に設けられ、芳香源を収納する前記芳香ケース（３０）と、
前記揺動駆動手段に、前記電気エネルギーを供給する電源部（２７）とを備え、
前記芳香ケースを振り子運動させることで前記芳香源の芳香の拡散を行う
ことを特徴とする芳香拡散装置。
【請求項２】
請求項１に記載された芳香拡散装置において、
前記芳香ケースは、前記振り子部材に着脱可能に設けられている
ことを特徴とする芳香剤拡散装置。
【請求項３】
請求項１又は２に記載された芳香拡散装置において、
前記芳香ケースには、前記芳香源の芳香を前記芳香ケースの外部に放出するための窓部（３１）が設けられている
ことを特徴とする芳香拡散装置。
【請求項４】
請求項３に記載された芳香拡散装置において、
前記芳香ケースには、前記窓部の近傍に前記芳香ケースの周囲の空気を流入させるためのフィン部（３２）が設けられている
ことを特徴とする芳香拡散装置。
【請求項５】
拡散装置本体（１０）と、
この拡散装置本体の近傍に設けられた芳香源（４０）と、
前記拡散装置本体に対して、略中央部を支点とする振り子運動可能に設けられる振り子部材（１１）と、
この振り子部材の下端側に設けられ、所定の電気エネルギーが供給されたとき前記振り子部材に振り子運動をさせる揺動駆動手段（２０）と、
前記振り子部材の上端側に設けられ、前記芳香源周辺の空気を攪拌する空気攪拌部材（１５０，１６０）と、
前記揺動駆動手段に、前記電気エネルギーを供給する電源部（２７）とを備え、
前記芳香源周辺の空気を前記空気攪拌部材で攪拌し、前記芳香源の芳香の拡散を行うことを特徴とする芳香拡散装置。
【請求項６】
請求項５に記載された芳香拡散装置であって、
前記空気攪拌部材（１５０）は、前記振り子部材の振り子運動面と略直交する方向に向けて、１枚以上の攪拌フィン部（１５２）が設けられているものである
ことを特徴とする芳香拡散装置。
【請求項７】
請求項５又は６に記載された芳香拡散装置であって、
前記空気攪拌部材は、紙、金属箔、布、プラスチックより選択される１以上の材質の部材で形成されている
ことを特徴とする芳香拡散装置。
【請求項８】
請求項５ないし７から選択されるいずれか１項に記載された芳香拡散装置であって、
前記空気攪拌部材は、美的効果、装飾性を有するデザインが施されたものである
ことを特徴とする芳香拡散装置。
【請求項９】
請求項１ないし８から選択されるいずれか１項に記載された芳香拡散装置であって、
前記揺動駆動手段は、前記振り子部材の下端側に設けられた永久磁石（１５）と、前記拡散装置本体側に、前記振り子部材が振り子運動したとき前記永久磁石と対向可能な位置に設けられた電磁コイル（２３）とからなるものであり、同極性の前記永久磁石と前記電磁コイルとが反発する磁力、及び／又は、逆極性の前記永久磁石と前記電磁コイルとが引き合う磁力で、前記振り子部材に振り子運動をさせるものである
ことを特徴とする芳香拡散装置。
【請求項１０】
請求項９に記載された芳香拡散装置において、
前記電源部は、前記永久磁石と前記電磁コイルとが対向する位置近傍にあるときのみ、前記電磁コイルに電流を供給して電磁力を発生させるものである
ことを特徴とする芳香拡散装置。
【請求項１１】
請求項９又は１０に記載された芳香拡散装置において、
前記永久磁石の磁気の中心と前記電磁コイルの中心とは、前記振り子部材が静止位置にあるとき、所定の寸法（ｄ）分離れているように配置されている
ことを特徴とする芳香拡散装置。
【請求項１２】
請求項１ないし１１から選択されるいずれか１項に記載された芳香拡散装置において、
前記電源部は、太陽電池からの起電力を蓄電し、前記揺動駆動手段に電流を供給するものである
ことを特徴とする芳香拡散装置。
【発明の詳細な説明】
【技術分野】
【０００１】
本発明は、芳香を周囲に拡散させる芳香拡散装置に関する。さらに詳しくは、振り子運動を利用して、芳香剤を収納している芳香ケース又は芳香剤周辺の空気を攪拌する空気攪拌部材を振り子運動（揺動運動）させ、芳香を周囲に拡散させる芳香拡散装置に関する。
【背景技術】
【０００２】
人が多く集まり使用する鉄道の駅、デパート、レストラン、ホテル、遊園地、公園等のトイレ、洗面所、トイレを備えた交通機関（鉄道、航空機、船舶等）には、芳香器が取り付けられている。そして、この芳香により環境が和らぎ癒し効果をあげることができるといわれている。
また、個人の住宅の居間、トイレ、乗用車などにも芳香器を備えて、前述と同様な効果が求めている。
【０００３】
現在使用されている芳香器の多くは、モータで回転するファン等を利用して、固体、液体等の芳香剤の気化、拡散をさせており、この技術は公知である（例えば、特許文献１、２参照）。しかしながら、この公報に記載された技術では、モータを駆動する電源として乾電池が使用されている。乾電池は、寿命がくると交換しなくてはならず、電池交換作業が面倒である。また、寿命がきた乾電池は、通常のゴミとして廃棄すると有害ゴミとなり、環境問題を発生させる。そのため、他のゴミと分別回収して廃棄処理することが行われているが回収費用が嵩むという問題があった。さらに、特許文献２には、ぜんまいで団扇型の芳香具を左右または上下に振って香りを放出することが記載されている。しかし、ぜんまいで団扇型芳香具を振る技術では、年中ぜんまいを巻いていなければならないという問題があった。
【０００４】
乾電池を使用しないものの一つとして、時計の振り子に芳香剤を収納し、振り子の振り子運動により芳香を拡散する技術もあった（例えば、特許文献３、４参照）。しかしながら、この技術のものは、インテリア性が強調されているもので、住宅の居間に置くには好適であるが、トイレ等その他の場所に置くには不向きであった。また、経済的にも高価格のものとなってしまう。さらに、ぜんまい等で振り子運動させるものは、乾電池を使用しないので環境問題の発生はないが、所定期間毎にぜんまいを巻く等の作業が必要であり、たいへん面倒であった。また、クォーク時計に擬似振り子を設け、乾電池等で振り子を振り子運動させるものもあるが、これでは乾電池使用による環境問題から逃れることはできない。
【０００５】
さらに、乾電池交換のような煩雑な作業をさけるため、モータを駆動する電源として太陽電池を採用する技術が提案されている（例えば、特許文献５参照）。また、太陽電池の起電力はまだ小さく、特に室内、車内等では太陽電池が充分作動しないことも多いため、照度等に合わせて間欠運転する技術も提案されている（例えば、特許文献６参照）。しかしながら、モータを回転させていない時間が長い場合、芳香器の本来の目的である芳香により環境を和らげる効果、人を癒す効果等をあげるという目的を達成することができないおそれがあった。
【０００６】
社会におけるストレス等が増大している現代人を精神的に癒す目的のために、芳香拡散装置が多く使用されるようになっている。その一方で、環境意識の高まり等によって、芳香拡散装置においても、環境問題の発生防止、省エネ等が図れる装置の開発が要望されている。
【特許文献１】特許第３４０１４６５号公報
【特許文献２】特開平０９−０１９４９１号公報
【特許文献３】特開平１１−２９０４４０号公報
【特許文献４】実開平０１−１０７９９０号公報
【特許文献５】実開平０６−０７０７４３号公報
【特許文献６】実用新案登録第２５５６９８６号公報
【発明の開示】
【発明が解決しようとする課題】
【０００７】
本発明は上述したような技術的背景、社会的背景のもとになされたものであり、下記の目的を達成する。
本発明の目的は、芳香の拡散により環境を和らげる効果、人を癒す効果等をあげることができるとともに、環境問題の発生を防止し、省エネが図れる芳香拡散装置を提供することにある。
【課題を解決するための手段】
【０００８】
本発明は、前記目的を達成するため、次の手段を採る。
本発明１の芳香拡散装置は、
拡散装置本体と、この拡散装置本体に対して、略中央部を支点とする振り子運動可能に設けられる振り子部材と、この前記振り子部材の下端側に設けられ、所定の電気エネルギーが供給されたとき前記振り子部材に振り子運動をさせる揺動駆動手段と、前記振り子部材の上端側に設けられ、芳香源を収納する前記芳香ケースと、前記揺動駆動手段に、前記電気エネルギーを供給する電源部とを備え、前記芳香ケースを振り子運動させることで前記芳香源の芳香の拡散を行うことを特徴とする。
【０００９】
本発明２の芳香拡散装置は、本発明１において、
前記芳香ケースは、前記振り子部材に着脱可能に設けられていることを特徴とする。
【００１０】
本発明３の芳香拡散装置は、本発明１又は２において、
前記芳香ケースには、前記芳香源の芳香を前記芳香ケースの外部に放出するための窓部が設けられていることを特徴とする。
【００１１】
本発明４の芳香拡散装置は、本発明３において、
前記芳香ケースには、前記窓部の近傍に前記芳香ケースの周囲の空気を流入させるためのフィン部が設けられていることを特徴とする。
【００１２】
本発明５の芳香拡散装置は、
拡散装置本体と、この拡散装置本体の近傍に設けられた芳香源と、前記拡散装置本体に対して、略中央部を支点とする振り子運動可能に設けられる振り子部材と、この振り子部材の下端側に設けられ、所定の電気エネルギーが供給されたとき前記振り子部材に振り子運動をさせる揺動駆動手段と、前記振り子部材の上端側に設けられ、前記芳香源周辺の空気を攪拌する空気攪拌部材と、前記揺動駆動手段に、前記電気エネルギーを供給する電源部とを備え、前記芳香源周辺の空気を前記空気攪拌部材で攪拌し、前記芳香源の芳香の拡散を行うことを特徴とする。
【００１３】
本発明６の芳香拡散装置は、本発明５において、
前記空気攪拌部材は、前記振り子部材の振り子運動面と略直交する方向に向けて、１枚以上の攪拌フィン部が設けられているものであることを特徴とする。
【００１４】
本発明７の芳香拡散装置は、本発明５又は６において、
前記空気攪拌部材は、紙、金属箔、布、プラスチックより選択される１以上の材質の部材で形成されていることを特徴とする。
【００１５】
本発明８の芳香拡散装置は、本発明５から７において、
前記空気攪拌部材は、美的効果、装飾性を有するデザインが施されたものであることを特徴とする。
【００１６】
本発明９の芳香拡散装置は、本発明１から８において、
前記揺動駆動手段は、前記振り子部材の下端側に設けられた永久磁石と、前記拡散装置本体側に、前記振り子部材が振り子運動したとき前記永久磁石と対向可能な位置に設けられた電磁コイルとからなるものであり、同極性の前記永久磁石と前記電磁コイルとが反発する磁力、及び／又は、逆極性の前記永久磁石と前記電磁コイルとが引き合う磁力で、前記振り子部材に振り子運動をさせるものであることを特徴とする。
【００１７】
本発明１０の芳香拡散装置は、本発明９において、
前記電源部は、前記永久磁石と前記電磁コイルとが対向する位置近傍にあるときのみ、前記電磁コイルに電流を供給して電磁力を発生させるものであることを特徴とする。
【００１８】
本発明１１の芳香拡散装置は、本発明９又は１０において、
前記永久磁石の磁気の中心と前記電磁コイルの中心とは、前記振り子部材が静止位置にあるとき、所定の寸法分離れているように配置されていることを特徴とする。
【００１９】
本発明１２の芳香拡散装置は、本発明１から１１において、
前記電源部は、太陽電池からの起電力を蓄電し、前記揺動駆動手段に電流を供給するものであることを特徴とする。
【発明の効果】
【００２０】
本発明の芳香拡散装置は、乾電池廃棄等による環境問題の発生を防止することができる。また、常時、芳香拡散のため作動する必要がある芳香拡散装置の省エネ化が図れる。設置場所を選ぶことなく、芳香の拡散による環境を和らげる効果、人を癒す効果等をあげることができる。また、空気攪拌部材又は芳香ケースに美的デザイン等を施すことにより、芳香（嗅覚）と視覚の面の両方面から作用することで環境を和らげる効果、人を癒す効果等の相乗効果をあげることができる。
【００２１】
さらに、振り子部材に対するエネルギーの供給を間欠的に行っても、振り子部材の振り子運動は継続することができ、芳香の拡散も継続することができる。すなわち、たいへん省エネ効果があり、経済的である。また、起電力の小さい太陽電池でも、充分、芳香の拡散を行え、乾電池廃棄による環境問題発生を防止することができる。
【発明を実施するための最良の形態】
【００２２】
〔芳香拡散装置の実施の形態１〕
本発明の芳香拡散装置の実施の形態１を図面に基づいて詳細に説明する。図１は、本発明の芳香拡散装置の実施の形態１の概要を示す斜視図、図２は、本発明の芳香拡散装置の実施の形態１の揺動駆動手段を示す正面図、図３は、図２をＡ−Ａ線で矢視した断面図である。図８は、本発明の芳香拡散装置の実施の形態１の芳香ケースに、箱状の芳香剤を挿入、取り出し可能にしたことを説明するための説明図である。
【００２３】
図１から図３に従って、芳香拡散装置の実施の形態１の説明を行う。
芳香拡散装置１は、拡散装置本体１０、振り子部材１１、揺動駆動手段２０、芳香ケース３０等から構成されている。
【００２４】
拡散装置本体１０は、下面が載置台、テーブル等に載置可能になっており、この拡散装置本体１０の上方側には、ピボット軸受（図示せず）等によって揺動可能（すなわち振り子運動可能）に振り子部材１１が支持されている。すなわち、振り子部材１１は、軸中心Ｏを中心にして振り子運動することが可能となっている。振り子部材１１は、長手方向に延びた形状をしており、略中央部に設けられた支軸１２がピボット軸受で支持されている。なお、支軸１２は、ころがり軸受等他の軸受、ナイフエッジなどで支持されていてもよく、要するに摩擦が少なく揺動可能に支持されていればよい。
【００２５】
振り子部材１１の上端側には、芳香剤４０（図５参照）を収納する芳香ケース３０が着脱可能に設けられている。芳香ケース３０には、挿し込み口部３３（図５参照）が設けられており、芳香ケース３０が振り子部材１１に着脱可能となっている。振り子部材１１は、芳香ケース３０内に芳香剤４０を収納した状態で、支軸１２を中心とする重量バランスがとれている。また、重量バランスがとれていない場合には、振り子部材１１の下方側に所定の錘（図示せず）を取り付けるようにするとよい。従って、振り子部材１１は力（荷重）が作用していない場合、すなわち静止状態のとき、長手方向を鉛直又は略鉛直に向けた状態（図１の状態）で静止している。
【００２６】
芳香ケース３０の前面及び後面（振り子部材１１が振り子運動を行う面と平行な面）には、芳香剤４０の芳香を芳香ケース３０の外部に放出するための窓部３１が形成されている。また、窓部３１の近傍には、芳香ケース３０の周囲の空気を芳香ケース３０内に流入させるためのフィン部３２が形成されている。芳香源としての芳香剤４０としては、固体状のもの、液体状で容器に入っているもの、半固体状（又は半液体状）で容器に入っているものなどが使用できる。例えば、芳香ケース３０ａに、箱状の芳香剤（又は箱状の容器に入っている芳香剤）４０ａを挿入、取り出し可能にしたものであってもよい。このようにすると、芳香拡散の寿命に達した芳香剤を新しい芳香剤に交換する作業がたいへん容易になって好ましい（図８参照）。また、このような芳香剤４０ａは、製造元から使用している場所までの搬送、持ち運び等にも適している。
【００２７】
なお、この実施の形態の説明に記載している芳香源である芳香剤４０には、脱臭機能を有する脱臭剤、消臭機能を有する消臭剤なども含まれているものとする。さらに、芳香剤には、いわゆるアロマテラピィ効果を有する香り及びその成分が入っているものも含まれている。また、芳香ケースの穴部を略矩形状の穴で説明しているが、他の形状のもの、例えばもっと小さい穴を複数個形成したようなものであってもよい。さらに、美的効果、インテリア性等を持たせようとする場合には、星形、動植物、各種キャラクターなどの形状をかたどった穴などであってもよい。すなわち、周辺の空気が芳香ケース３０内に流出入できるようになっていればよい。
この実施の形態１の芳香拡散装置は、振り子部材１１の振り子運動で、揺動する芳香ケース３０内に、フィン部３２、窓部３１等を介して周辺の空気が流出入し、気化した芳香を芳香拡散装置１の周辺に拡散できるものであればよい。
【００２８】
拡散装置本体１０又は拡散装置本体１０の近傍には、太陽電池２２が設けられている。なお、太陽電池２２は室内灯等各種照明、太陽光等があたりやすい場所に設けられていることが好ましい。例えば、図８に示したように拡散装置本体１０の上部に太陽電池２２が設けられているとよい。また、拡散装置本体１０の下部側には、太陽電池２２の起電力を蓄電し、所定の時間のみ後述する電磁コイル２３に電力を供給するためのコンデンサ、ダイオード、抵抗、トランジスタ等電気・電子部品２５が設けられたプリント基板２１が設けられている。太陽電池２２は電線２２ａでプリント基板２１に接続されている。プリント基板２１には所定の電気回路が形成されており、前記した電気・電子部品２５をハンダ付け等することで、揺動駆動手段２０の制御部が構成される。また、太陽電池２２、プリント基板２１、電気・電子部品２５等で制御機能を備えた電源部２７が構成されている。
【００２９】
振り子部材１１の下方には、コの字状の磁石取り付け部材１４が、開口部が下向きになるように取り付けられている。その垂れ下がった一方の取り付け部の２つの内面に、図３に示すように、扁平な永久磁石１５ａ、１５ｃの２個の磁石が、電磁コイル２３と向き合う面がＳ磁極、Ｎ磁極になるように固着されている。
更に、磁石取り付け部材１４の他の取り付け部の２つの内面に、扁平な永久磁石１５ｂ、１５ｄの２個の磁石が、電磁コイル２３と向き合う面がＮ磁極、Ｓ磁極になるように固着されている。この形態では、永久磁石１５ａ、１５ｂ、１５ｃ、１５ｄが永久磁石１５を構成している。
【００３０】
一方、振り子部材１１のほぼ真下で、かつ、永久磁石１５ａ、１５ｂ、永久磁石１５ｃ、１５ｄの各々対向している間に、永久磁石１５ａ、１５ｂ、１５ｃ、１５ｄの各面と所定の間隔を有するようにコイル面が配置された電磁コイル（駆動コイル）２３が配置されている。電磁コイル２３は、拡散装置基体１０に取り付けられた板部材２４に取り付けられている。電磁コイル２３は、振り子部材１１が静止しているときに、図２、３に示すように配置されている。すなわち、振り子部材１１の略真下の永久磁石１５ｃ、１５ｄの各磁極の中心線と、電磁コイル２３の中心線とが、所定の寸法ｄ分離れているように配置されている。言い換えると、振り子部材１１が静止しているときに、電磁コイル２３の中心線に対して、永久磁石１５ｃ、１５ｄの各磁極の中心線が、所定の寸法（以下、かたよりという）ｄ分ずれて配置されている。
【００３１】
図３に示すように、このかたよりｄの方向が電磁コイル２３の中心から右側にある。電磁コイル２３に通電すると、図に示すように、ｎ極、ｓ極で示した磁極が生じるように構成されている。振り子部材１１の略真下の二つの永久磁石１５ｃ、１５ｄと、この永久磁石１５ｃ、１５ｄと対向する電磁コイル２３は、各々Ｎ極とｎ極、Ｓ極とｓ極のようになり、永久磁石１５ｃ、１５ｄは電磁コイル２３から反発する反発電磁力を受けて、図３の右側（図３の矢印Ｑ方向）に向かう力を受ける。同様に、永久磁石１５ｃ、１５ｄから所定量離れた位置に配置した二つの永久磁石１５ａ、１５ｂは、電磁コイル２３から吸引される吸引電磁力を受けて、図３の右側（図３の矢印Ｑ方向）に向かう力を受ける。それらの合力により振り子部材１１は起動する。すなわち、振り子部材１１は矢印Ｐ１方向に揺動する。
【００３２】
そして、永久磁石１５ａ、１５ｂの磁極の中心が電磁コイル２３の中心に接近し、到達する直前に電磁コイル２３への通電を止めるようにすることで、振り子部材１１は慣性力の作用により支軸１２を中心とした振り子運動（揺動運動）を開始するものである。このように、永久磁石１５ａ、１５ｂ、１５ｃ、１５ｄの各磁石面と電磁コイル２３のコイル面との間隙を最小限にするとともに、４個の永久磁石１５ａ、１５ｂ、１５ｃ、１５ｄによる強力な磁界中で電磁コイル２３に通電することで、電気エネルギーを無駄なく運動エネルギーに、そして、振り子運動の最高点位置では位置エネルギーに変換することができる。その後、最高点位置での位置エネルギーは、運動エネルギーに変換され、振り子部材１１は矢印Ｐ２方向に揺動する。すなわち、振り子部材１１は、矢印Ｐ１方向、矢印Ｐ２方向への揺動運動を交互に繰り返し、摩擦等のロスがなければずっと振り子運動を繰り返すことになる。
【００３３】
振り子運動は、振り子の長さ等が決まれば同じ周期で繰り返すことになる。すなわち、太陽電池２２などによる少ない電流（例えば、２〜５ｍＡ）を所定のタイミング毎に供給することによって、振り子部材１１の振り子運動を継続させることができる。また、振り子運動開始後の通電は、図３に示した状態から永久磁石１５ａ、１５ｂの磁極の中心が電磁コイル２３の中心に接近し、到達する直前までの非常に短い時間行うことで、振り子部材１１の振り子運動を継続させることができるので、起電力の小さい太陽電池２２に好適である。また、周囲の照度が低くなっても、振り子部材１１の振り子運動を継続させることができる。さらに、毎回の振り子運動毎に、電磁コイル２３に電流を供給しなくてもよい。すなわち、複数回の振り子運動毎に電磁コイル２３に電流を供給してもよい。電流を供給しないときでも、位置エネルギーと運動エネルギーとの交互の変換で、振り子部材１１は振り子運動を繰り返し行うことができ、芳香ケース３０内の芳香剤４０の芳香は周囲に拡散される。
【００３４】
なお、この実施の形態１の説明では、電磁コイル２３は、板部材２４に取り付けられていると説明をしたが、プリント基板２１に取り付けられていてもよい。
また、永久磁石１５を４個取り付けた形態で説明を行っている。このようにすると、電磁コイル２３に少ない電流を供給することで、振り子部材１１に振り子運動させることができるので好ましいが、永久磁石１５を１個以上、かたよりｄを有する位置に配置したものであればよい。例えば、１個以上の永久磁石と電磁コイルとが反発する磁力、又は１個以上の永久磁石と電磁コイルとが引き合う磁力で、振り子部材に振り子運動させるものであってもよい。
【００３５】
この実施の形態１の作用の説明を行う。
図１のように、静止状態では、振り子部材１１は長手方向を略鉛直に向けて静止している。芳香拡散装置１を所定の位置に設定する。太陽電池２２は室内灯、太陽光等があたることにより常時起電力を発生させており、プリント基板２１のコンデンサ等に蓄電されている。太陽電池２２は、プリント基板２１上の電気・電子部品２５を介して、電磁コイル２３に所定の電流を供給する。なお、この形態では、永久磁石１５ｃ、１５ｄと電磁コイル２３とが反発する磁力、永久磁石１５ａ、１５ｂと電磁コイル２３とが引き合う（吸引する）磁力の合力により、振り子部材１１は振り子運動を開始する。振り子部材１１の振り子運動は、運動エネルギー、位置エネルギーと変化しながら継続する。
【００３６】
このとき、芳香ケース３０は、図２に示した芳香ケース３０’、３０”のように揺動する。すると、芳香ケース３０の周辺の空気が、窓部３１から流出入し、気化した芳香剤４０が芳香ケース３０の周辺に拡散する。また、窓部３１の周辺にはフィン部３２が形成してあり、周辺の空気の芳香ケース３０内に流入をさらに容易にしている。制御機能を備えた電源部２７の制御により、振り子運動開始後の通電は、図３に示した状態から永久磁石１５ａ、１５ｂの磁極の中心が電磁コイル２３の中心に接近し、到達する直前までの非常に短い時間行うことで、振り子部材１１の振り子運動を継続させることができる
【００３７】
〔揺動駆動手段の他の実施の形態〕
図４は、本発明の芳香拡散装置の揺動駆動手段の他の実施の形態を示す正面図である。
なお、前記した実施の形態１と同一の部位には、同じ符号を付与し詳細な説明は省略する。
振り子部材１１ａの下端側には、被係合部１１ｂが形成されている。駆動モータＭの出力軸には、回転部材５１が取り付けられている。回転部材５１には、係合ピン５２が設けられている。係合部材５２は、所定の角度位置にあるときのみ、振り子部材１１ａと係合可能である。駆動モータＭを所定の回転数で所定の方向（矢印Ｓ方向）に回転させると、係合ピン５２が被係合部１１ｂと係合する。振り子部材１１ａは、係合部材５２と係合状態にあるとき、係合部材５２に押圧されて一方の揺動方向に揺動する。そして、係合部材５２がさらに回転して非係合状態になっても慣性力でさらに少し揺動する。
【００３８】
その後、位置エネルギーによって、他方の揺動方向に揺動し、運動エネルギーを得る。このように、運動エネルギーと位置エネルギーとに交互に変換することによって、振り子運動は継続されていく。そして、振り子部材１１ａの振り子運動の周期と、駆動モータＭの回転とが同期するように設定しておけば、ずっと継続して振り子部材１１ａに振り子運動の動作をさせることができる。なお、駆動モータＭは、減速装置を備えたモータであってもよい。
【００３９】
なお、この揺動駆動手段の他の実施の形態でも、振り子部材１１ａは一度エネルギーを供給すると振り子運動を繰り返すことになるので、複数回の振り子運動に一回に、振り子部材１１ａを係合部材５２で押圧するようにしてもよい。他は、位置エネルギーと運動エネルギーとの交換で揺動する振り子運動で振り子動作を繰り返すことになる。
【００４０】
〔実施の形態１の芳香ケースの他の実施の形態〕
図５から図７に従って、本発明の芳香拡散装置の実施の形態１の芳香ケースの他の実施の形態の説明を行う。
図５は、実施の形態１の芳香ケースの他の実施の形態を示す図で、（ａ）は正面図、（ｂ）は図５（ａ）をＢ−Ｂ線で矢視した断面図、（ｃ）は側面図、（ｄ）は底面図、図６は、芳香ケースのさらに他の実施の形態を示す断面図、図７は、芳香ケースのさらに他の実施の形態を示す断面図である。
【００４１】
図５に示す実施の形態では、芳香ケース３０の両端側にフィン部３２ａ、３２ａが設けられている。また、芳香ケース３０の前面及び後面には、窓部３１ａ、３１ａが設けられている。さらに、上部には、蓋部材３５が設けられている。この蓋部材３５にも、空気流出入用の穴が形成されていてもよい。芳香ケース３０の後部には、振り子部材１１の上端が挿入される挿し込み口部３３が形成されている。このようにしておくことで芳香ケース３０は振り子部材１１に対して着脱可能になっている。すなわち、芳香ケース３０を地面等に落下させ破損させた場合など、交換作業等メンテナンスが大変容易である。
【００４２】
図６は、実施の形態１の芳香ケースのさらに他の実施の形態を示す図であり、図５（ｂ）に相当する断面図である。
この形態では、芳香ケース３０ａの側面に穴部３１ｂを設けている。すなわち、芳香ケース３０ａの振り子運動そのものによって、周辺の空気を芳香ケース３０ａ内に流入させるようにしている。なお、この形態でも、前面、後面に穴を形成してもよい。
【００４３】
図７は、実施の形態１の芳香ケースのさらに他の実施の形態を示す図であり、図５（ｂ）に相当する断面図である。
図７に示すように、フィン部３２ｃを断面視で流線形とすることにより、より積極的に周囲の空気を芳香ケース３０ｂ内に窓部３１ｃ、３１ｃを介して流出入させるようにしたものである。このことにより、周辺の空気の芳香ケース３０ｂ内への空気流出入量を増大させ、芳香の拡散を容易にしている。
なお、図１、図５から図７に従って芳香ケースの説明を行ったがこれに限定されることはない。すなわち、この形態で説明した穴部形状、フィン部形状、芳香ケース形状などを使用状態等によって、いろいろと組み合わせて使用してもよいことはいうまでもない。
【００４４】
〔芳香拡散装置の実施の形態２〕
本発明の芳香拡散装置の実施の形態２を図面に基づいて詳細に説明する。図９は、本芳香拡散装置の実施の形態２の概要を示す斜視図、図１０は、本芳香拡散装置の実施の形態２の他の実施の形態を示す図、図１１は、実施の形態２の芳香拡散装置による芳香の拡散状態を模式的に示した説明図、図１２は、従来の芳香拡散装置による芳香の拡散状態を模式的に示した説明図である。
【００４５】
前記した芳香拡散装置の実施の形態１は、芳香剤が入った芳香ケースを振り子運動（揺動運動）させることで芳香の拡散を行うものであった。
芳香拡散装置の実施の形態２は、芳香剤側を固定状態とし、振り子部材の端部に設けた扇状、団扇状の空気攪拌部材又は攪拌フィン部を有する空気攪拌部材によるあおぎ動作で、芳香剤近傍の空気の攪拌を行い芳香の拡散を行うものである。
なお、この実施の形態２の説明では、前記した実施の形態１と同一の部位には、同じ符号を付与し詳細な説明を省略して行う。
【００４６】
図９に基づいて、実施の形態２の芳香拡散装置１０１の説明を行う。
芳香拡散装置１０１の拡散装置本体１０は、外装ケース１０５内に載置されている。外装ケース１０５は、載置台、テーブル等に載置可能になっている。外装ケース１０５の前面には前方窓１０６、側面には側方窓１０７、上面には上方窓１０８が形成されている。外装ケース１０５の前面下部には、扉１０９が設けられていることが好ましく、このようにすると、芳香剤４０の交換を前面側から容易に行える。外装ケース１０５の後部は、拡散装置本体１０等を出し入れするための開口部となっている。芳香剤４０は、外装ケース１０５の下部側、拡散装置本体１０の下部におかれている。なお、芳香剤は、外装ケース内の上部、側部等に設けられていてもよい。言い換えると、芳香剤は拡散装置本体１０の近傍に設けられていればよい。すなわち、芳香剤が設けられる位置は、攪拌された空気により、周囲に芳香が拡散できるような位置であればよい。
【００４７】
外装ケース１０５の上部には、太陽電池２２が取り付けられており、電線（図示せず）がプリント基板（図示せず）に接続されている。拡散装置本体１０内には、揺動駆動手段（図示せず）が設けられている。拡散装置本体１０、揺動駆動手段、太陽電池２２等は、実施の形態１のものと同一のものである。すなわち、前記振り子部材の下端側に設けられた永久磁石（図示せず）と、前記拡散装置本体側に、前記振り子部材が振り子運動したとき前記永久磁石と対向可能な位置に設けられた電磁コイル（図示せず）とからなるものであり、同極性の前記永久磁石と前記電磁コイルとが反発する磁力、及び、逆極性の前記永久磁石と前記電磁コイルとが引き合う（吸引する）磁力で、前記振り子部材に振り子運動をさせるものである（図１〜３参照）。
【００４８】
支軸１２に揺動可能に支持された振り子部材１１の上端側には、空気攪拌部材１５０が設けられている。すなわち、空気攪拌部材１５０は、図９の矢印方向に揺動駆動手段（図示せず）によって振り子運動（揺動運動）する。空気攪拌部材１５０は、振り子部材１１に対して着脱可能に設けられていることが好ましい。空気攪拌部材１５０は、攪拌本体部１５１と攪拌フィン部１５２とからなっている。攪拌フィン部１５２は、１枚又は複数枚、攪拌本体部１５１に取り付けられている。また、攪拌フィン部１５２は、振り子部材１１が振り子運動（揺動運動）する平面に対して略直交する方向を向くように、攪拌本体部１５１に取り付けられていることが好ましい。攪拌フィン部１５２は、紙、アルミニウム箔等金属箔、絹布等布、プラスチック等の材質で形成されているもの、骨部に紙、アルミニウム箔等金属箔、絹布等布、プラスチック等を貼り付けたものなどであるとよい。なお、プラスチックとしては、ポリエチレン、ポリエステル、ポリスチレン等比重が１より小さいもの、あるいは１に近いものであることが好ましい。振り子部材１１は、静止状態のとき、長手方向を鉛直又は略鉛直に向けた状態（図９に表示した状態）で静止している。
【００４９】
攪拌本体部１５１の前面には、絵、模様、文様、文字、切り絵、はめ絵、各種キャラクター等デザインを施し、装飾性、美的効果、ディスプレイ機能等をもたせるとよい。また、このデザインは、デザインを反射又は反射コーティングしたものであってもよい。さらに、攪拌フィン部１５２を、写真、印刷物等で作成し、装飾性、美的効果、ディスプレイ機能等をもたせるようにしてもよい。
空気攪拌部材１５０をこのように形成することで、芳香による環境を和らげる効果、人を癒す効果等の他に、視覚の面からも人を和ませ、癒し効果等を与えることができる。すなわち、人間の感性の視覚、嗅覚の両方の面から作用することで、和ませ効果、癒し効果が倍増又は数倍増する。
【００５０】
図１０は、本発明の芳香拡散装置の実施の形態２の他の実施の形態を示す図である。
芳香拡散装置１０１ａの振り子部材１１の上部には、団扇状、扇状の空気攪拌部材１６０が着脱可能に設けられている。すなわち、この実施の形態２の他の実施の形態では、空気攪拌部材１６０で芳香剤４０をあおぎ、芳香剤４０周辺の空気の攪拌を行い、芳香の拡散を行う。空気攪拌部材１６０は、紙、アルミニウム箔等金属箔、絹布等布、プラスチック等の材質で形成されているもの、骨部に紙、アルミニウム箔等金属箔、絹布等布、プラスチック等を貼り付けたものなどであるとよい。なお、プラスチックとしては、ポリエチレン、ポリエステル、ポリスチレン等比重が１より小さいもの、あるいは１に近いものであることが好ましい。空気攪拌部材１６０の前面には、絵、模様、文様、文字、切り絵、はめ絵、各種キャラクター等デザインを施し、装飾性、美的効果、ディスプレイ機能等をもたせるとよい。また、このデザインは、デザインを反射又は反射コーティングしたものであってもよい。さらに、空気攪拌部材１６０を、写真、印刷物等で作成し、装飾性、美的効果、ディスプレイ機能等もたせるようにしてもよい。
【００５１】
図１１は、実施の形態２の芳香拡散装置による芳香の拡散状態を模式的に示した図である。図１２は、従来の芳香の拡散状態を模式的に示した図である。
なお、この図では、説明を容易にするために、芳香剤４０を空気攪拌部材１６０の上部に対向するように設けてあるが、図９のように下部等あってもよいことはいうまでもない。さらに、外装ケースの側部等に設けたものであってもよい。すなわち、外装ケースの下部、側部、上部から選択される１以上の箇所に設けたものであればよい。言い換えると、拡散装置本体１０の近傍に設けられていればよい。また、図１１，図１２では、説明の便宜上、空気分子を「○」印、アルコール分子を「▽」印、芳香剤分子を「□」印で示している。
また、図１１では、説明を容易にするために扇状の空気攪拌部材１６０で説明を行っているが、一枚以上の攪拌フィン部を有する空気攪拌部材１５０であってもよい。
【００５２】
図１２に従って、従来の芳香の拡散状態の説明を行う。
芳香の拡散は、芳香剤分子が、芳香剤（芳香基体）のアルコール系分子（アルコール成分類）の気化とともに運ばれ、芳香基体の表面より次々と離脱することで行われる。アルコールの気化速度は、温度と空気圧力に影響され、芳香剤分子もその影響を受ける。そして、従来の芳香拡散装置のように、空気の攪拌等がないと芳香基体周辺の空気分子と芳香剤分子等が短い距離でランダムに衝突を繰り返し、芳香基体周辺に滞留して中々拡散できない状態となる。言い換えると、芳香剤４０の芳香基体表面は、芳香剤分子、アルコール系分子、空気分子等で満員で動けない状態となっており、空気を攪拌等しないと中々離脱拡散できない状況になる（図１２参照）。
【００５３】
図３、図１１に従って、実施の形態２の芳香の拡散状態の説明を行う。
揺動駆動手段２０の駆動により振り子部材１１及び空気攪拌部材１６０が振り子運動を行う。すなわち、永久磁石１５ｃ、１５ｄと電磁コイル２３とが反発する磁力、永久磁石１５ａ、１５ｂと電磁コイル２３とが引き合う（吸引しあう）磁力の合力により、振り子部材１１は振り子運動を開始する。振り子部材１１の振り子運動は、運動エネルギー、位置エネルギーと変化しながら継続する。すると、空気攪拌部材１６０により、空気が攪拌され、図１１に示すような空気の流れ、乱流等ができる。この流れ等により芳香剤分子、アルコール系分子等が芳香基体周辺より離れ拡散する。芳香剤分子は、一度、芳香基体を離れれば後は室内空気の流れ、室内温度差などにより周辺に拡散していく。
【００５４】
このように、実施の形態２では、空気攪拌部材１５０，１６０を振り子運動（揺動運動）させることにより、芳香剤４０近傍の空気を攪拌して、芳香の拡散を図っているのである。なお、実施の形態１では、芳香剤ケース３０内の芳香剤４０を振り子運動（揺動運動）させることにより、芳香剤４０近傍の空気を攪拌し、芳香剤の拡散を行っている。
【００５５】
以上、本発明の芳香拡散装置の実施の形態１、実施の形態２の説明を行ったが、起電力の小さい太陽電池で振り子部材に対するエネルギーの供給を間欠的に行っても、振り子部材の振り子運動は継続することができ、芳香の拡散も継続して行うことができる。また、太陽電池で駆動される芳香拡散装置は、トイレの室内灯等各種照明などでも充分に作動し、半永久的に使用することができる。すなわち、たいへん省エネ効果があり、経済的である。また、起電力の小さい太陽電池でも、充分、芳香の拡散を行え、乾電池廃棄による環境問題発生を防止できる。
【００５６】
以上、本発明の実施の形態１、実施の形態２について説明を行ったが、本発明はこの実施の形態１、２に限定されることはない。本発明の目的、趣旨を逸脱しない範囲内で変更可能なことはいうまでもない。
【図面の簡単な説明】
【００５７】
【図１】図１は、本発明の芳香拡散装置の実施の形態１の全体の概要を示す斜視図である。
【図２】図２は、本発明の芳香拡散装置の揺動駆動手段を示す正面図である。
【図３】図３は、図２をＡ−Ａ線で矢視した断面図である。
【図４】図４は、本発明の芳香拡散装置の他の揺動駆動手段を示す正面図である。
【図５】図５は、本発明の芳香拡散装置の実施の形態１の芳香ケースの他の実施の形態を示す図であり、（ａ）は正面図、（ｂ）は図５（ａ）をＢ−Ｂ線で矢視した断面図、（ｃ）は側面図、（ｄ）は底面図である。
【図６】図６は、本発明の芳香拡散装置の実施の形態１の芳香ケースのさらに他の実施の形態を示す断面図である。
【図７】図７は、本発明の芳香拡散装置の実施の形態１の芳香ケースのさらに他の実施の形態を示す断面図である。
【図８】図８は、本芳香拡散装置の実施の形態１の芳香ケースに、箱状の芳香剤を挿入、取り出し可能にしたことを説明するための説明図である。
【図９】図９は、本発明の芳香拡散装置の実施の形態２の概要を示す斜視図である。
【図１０】図１０は、本発明の芳香拡散装置の実施の形態２の他の実施の形態を示す図である。
【図１１】図１１は、実施の形態２の芳香拡散装置による芳香の拡散状態を模式的に示した説明図である。
【図１２】図１２は、従来の芳香拡散装置による芳香の拡散状態を模式的に示した説明図である。
【符号の説明】
【００５８】
１，１０１  …芳香拡散装置
１０        …拡散装置本体  
１１，１１ａ…振り子部材
１２        …支軸
１４        …磁石取り付け部材
１５，１５ａ，１５ｂ，１５ｃ，１５ｄ…永久磁石
２０        …揺動駆動手段
２１        …プリント基板
２２        …太陽電池
２３        …電磁コイル（駆動コイル）
２７        …電源部
３０，３０ａ，３０ｂ…芳香ケース
３１，３１ａ，３１ｂ，３１ｃ…窓部
３２，３２ａ，３２ｃ…フィン部
４０        …芳香剤（芳香源）
１０５      …外装ケース
１５０，１６０…空気攪拌部材
【図１】
2006068505.tif 000003
【図２】
2006068505.tif 000004
【図３】
2006068505.tif 000005
【図４】
2006068505.tif 000006
【図５】
2006068505.tif 000007
【図６】
2006068505.tif 000008
【図７】
2006068505.tif 000009
【図８】
2006068505.tif 000010
【図９】
2006068505.tif 000011
【図１０】
2006068505.tif 000012
【図１１】
2006068505.tif 000013
【図１２】
2006068505.tif 000014